(57)【特許請求の範囲】
【請求項１】
調節ベルト１は表面に突出する突起状の調節突部８を所定間隔で多数配設し、スライダー２は調節ベルト１が挿通できる空洞状の挿通部１０を貫設し、該挿通部１０の一面に固定具取付用の取付孔１７を設け、挿通部１０と直交する形で上下部に操作片３が挿入できる貫通孔１１を設け、下部貫通孔１１の両側に斜面部１５を設け、操作片３は一面に調節突部８と係合できる係止突部２５を突設するとともに、両側に弾性脚部２６を一体に設けて斜面部１５に摺接し滑動可能に形成し、操作片３を上方へ付勢して調節突部８と係止突部２５とを係合可能に形成してなることを特徴とするウエスト調節具。
【請求項２】
弾性脚部２６は操作片３の本体２２の中央部分から本体２２と略同長で並行状に配設し、係止突部２５は操作片３の本体２２に突設し、操作片３の頭部２３は常時スライダー２から突出状態を維持し、かつ上部貫通孔１１の縁部に衝止する抜脱阻止用の小突起２７を突設してなる請求項１記載のウエスト調節具。
【請求項３】
スライダー２に設けた下部貫通孔１１に操作片３の本体２２の一部が挿入され、弾性脚部２６の先端が斜面部１５に当接しやや拡開された状態を保持できる形で、頭部２３の側面に抜脱阻止用の小突起２７を突設してなる請求項１記載のウエスト調節具。
【請求項４】
スライダー２の斜面部１５における表面板１２側に側壁１８を突設して全体に凹溝１９を形成し、操作片３の弾性脚部２６の先端は凹溝１９に摺接し滑動できる形に形成してなる請求項１記載のウエスト調節具。
【請求項５】
スライダー２は方形体で裏面板１３の中央縦方向に長方形の透孔１６を設け、透孔１６と対面する表面板１２に内側が拡大する取付孔１７を上下に２個設け、固定具４はキャップ３２の裏面に取付孔１７へ挿入し圧潰できる取付柱３３を上下に２個突設してなる請求項１記載のウエスト調節具。
【請求項６】
スライダー２の裏面板１３に設けた縦長の透孔１６における縦方向の縁部内面に突条２０を突設し、操作片３は本体２２の中央縦方向に設けた透孔２４の両側に下端まで延びる長溝３０を設けてスライダー２の突条と嵌合可能に形成してなる請求項１記載のウエスト調節具。
【請求項７】
操作片３の両側に設けた弾性脚部２６は、係止突部２５を設けた本体２２表面より一段と落ち込んだ薄形に形成してなる請求項１記載のウエスト調節具。
【請求項８】
調節ベルト１、スライダー２、操作片３、固定具４をそれぞれ熱可塑性樹脂を用いて射出成形または押出成形によって成形してなる請求項１乃至７のいずれか一項に記載のウエスト調節具。
【発明の詳細な説明】
【０００１】
【発明の属する技術分野】
この発明は、衣服たとえばベルトレスズボン、スカートなどにおけるウエストベルトの長さ調節が簡単にできる、一般にウエストアジャスターまたはベルトアジャスターと呼ばれるウエスト調節具に関するものである。
【０００２】
【従来の技術】
従来のウエスト調節具は、たとえば図１８に示すように、調節ベルトの表面に所定の間隔で調節突起を多数設け、スライダーは調節ベルトを挿通するための挿通孔を有するスライダー本体と、調節ベルトの調節突起と係合できる係止突起を有する操作片から形成され、スライダー本体に挿通された調節ベルトに対し直交する形で透孔に挿入した操作片を押動可能に設け、スライダー本体に対し出没可能に設けた操作片をスライダー本体から突出する方向に付勢する巻き掛けバネの弾性部材を操作片の操作部の近傍に取り付けたウエスト調節具が、特開平９−２７３０１号公報に開示されている。
【０００３】
【発明が解決しようとする課題】
前項で述べた図１８に示すウエスト調節具は、調節ベルト、スライダー本体、操作片、弾性部材、さらにフックと当て金具から形成した固定具から構成されたものであり、ウエスト調節具はきわめて部品点数が多くコスト高になり、製作面を考えても面倒であるなど問題点がある。なお操作片と弾性部材とを樹脂により一体に成形することが記載されているが、その具体的な形態についてはわからない。
【０００４】
この発明は、上述の問題点を考慮して発明されたものであり、請求項１記載の発明は、製品の部品点数を削減してコストダウンを図り、スライダーに対して操作片が的確に弾発性を発揮し、円滑に出没可動させることができ、かつスライダーおよび操作片の製作がきわめて容易であり、しかも衣服に対し簡単に取り付けることができるウエスト調節具を提供することが主たる目的である。
【０００５】
請求項２記載の発明は、請求項１記載の発明の目的に加え、操作片に対し簡単な構造で的確に弾発性を付与することができ、スライダーに対し操作片を適切に出没可動ができるウエスト調節具を提供することが目的である。
【０００６】
請求項３記載の発明は、請求項１記載の発明の目的に加え、操作片に対し効率よく始動ができる形で弾発性を発生させることができ、有効な出没可動ができるウエスト調節具を提供することが目的である。
【０００７】
請求項４記載の発明は、請求項１記載の発明の目的に加え、操作片に配設した弾性脚部が安定した状態で的確に弾性変形を起生し、操作片を円滑に作動させることができる形態に形成したウエスト調節具を提供することが目的である。
【０００８】
請求項５記載の発明は、請求項１記載の発明の目的に加え、スライダーおよび固定具の形態を特定することによって、スライダーおよび固定具の製作がきわめて容易にでき、特に熱可塑性樹脂の成形加工に適したタイプであり、しかも強固にウエストベルトに取り付けることができるウエスト調節具を提供することが目的である。
【０００９】
請求項６記載の発明は、請求項１記載の発明の目的に加え、スライダーに対し操作片ががたつくことなく安定した状態で的確かつ円滑に摺動し、出没可動ができるウエスト調節具を提供することが目的である。
【００１０】
請求項７記載の発明は、請求項１記載の発明の目的に加え、操作片に併設された弾性脚部が他の部材、たとえば調節ベルトの調節突部と衝合しないように形成することにより、効率よく的確に弾発性が発揮できるウエスト調節具を提供することが目的である。
【００１１】
請求項８記載の発明は、請求項１乃至７のいずれか一項に記載の発明の目的に加え、ウエスト調節具の素材を熱可塑性樹脂に限定することによって、ウエスト調節具の製作が簡易にでき、リサイクル化が図れるウエスト調節具を提供することが目的である。
【００１２】
【課題を解決するための手段】
前記の目的を達成するため、この発明のうち請求項１記載の発明は、ウエスト調節具における調節ベルト１は、表面に突出する突起状の調節突部８を所定の間隔で多数配設し、またスライダー２は、調節ベルト１が挿通できる空洞状の挿通部１０を横方向に貫設し、この挿通部１０の一面に固定具取付用の取付孔１７を設け、挿通部１０と直交する形で上下部分に操作片３が挿入できる貫通孔１１をそれぞれ設け、下部貫通孔１１の両側に下方外側へ向けて傾斜する斜面部１５を設け、操作片３は一面に調節ベルト１の調節突部８と係合できる係止突部２５を対応する個所に突設するとともに、操作片３の両側に角棒状の弾性脚部２６を一体に設けて先端を斜面部１５に摺接させて滑動できるように形成し、操作片３を常時上方へ付勢して調節突部８と係止突部２５とが係合できるように形成したウエスト調節具を主な構成としている。
【００１３】
請求項２記載の発明は、請求項１記載の発明の構成に加え、操作片３に一体に併設する弾性脚部２６は、操作片３の本体２２の中央部分から先端にかけて本体２２と略同長で並行状に配設し、調節ベルト１の調節突部８と係合する係止突部２５は操作片３の本体２２に突設し、操作片３の頭部２３は常時スライダー２から突出する状態を維持し、かつ上部貫通孔１１の縁部に衝止して操作片３の抜脱を阻止するための小突起２７を突設したウエスト調節具である。
【００１４】
請求項３記載の発明は、請求項１記載の発明の構成に加え、スライダー２に設けた下部貫通孔１１に操作片３の本体２２の一部が挿入し、弾性脚部２６の先端が下部貫通孔１１の両側に設けた斜面部１５に当接してやや拡開された状態を保持できる形で、操作片３の頭部２３の側面にスライダー２から抜脱するのを阻止するための小突起２７を突設したウエスト調節具である。
【００１５】
請求項４記載の発明は、請求項１記載の発明の構成に加え、スライダー２の下部貫通孔１１の両側に設けた斜面部１５は、斜面部１５における表面板１２側に位置する個所に小突片状の側壁１８を設けて全体が断面凹状を呈する凹溝１９を形成し、操作片３の弾性脚部２６の先端がこの凹溝１９内を摺接し滑動できる形に形成したウエスト調節具である。
【００１６】
請求項５記載の発明は、請求項１記載の発明の構成に加え、スライダー２は全体が方形体であり、その裏面板１３の中央縦方向に長方形を呈する透孔１６を設け、この透孔１６と対面する表面板１２に内側が拡大する固定具４を取り付けるための取付孔１７を上下に２個設け、固定具４はキャップ３２の裏面に取付孔１７へ挿入して先端を圧潰できる取付柱３３を上下に２個突設したウエスト調節具である。
【００１７】
請求項６記載の発明は、請求項１記載の発明の構成に加え、スライダー２の裏面板１３に設けた縦長方形の透孔１６における縦方向の縁部の内面に断面凸状の突条２０を突設し、操作片３は本体２２の中央に縦方向に設けた透孔２４の両側に本体２２の下端まで延びる断面凹状の長溝３０を設けてスライダー２の突条２０と嵌合できるように形成したウエスト調節具である。
【００１８】
請求項７記載の発明は、請求項１記載の発明の構成に加え、操作片３の本体２２の両側に併設する弾性脚部２６の表面は、係止突部２５を設けた本体２２の表面よりも一段と落ち込んだ形状の薄形に形成したウエスト調節具である。
【００１９】
請求項８記載の発明は、請求項１乃至７のいずれか一項に記載の発明の構成に加え、ウエスト調節具における調節ベルト１、スライダー２、操作片３、固定具４の全てを熱可塑性樹脂を用いて射出成形手段または押出成形手段によって、それぞれを成形したウエスト調節具である。
【００２０】
【発明の実施の形態】
以下、この発明におけるウエスト調節具の実施の形態について、図面を参照しながら具体的に説明する。
【００２１】
この発明のウエスト調節具は、図１に示すように、調節ベルト１、スライダー２、操作片３、固定具４の四部材から構成され、この四部材は、図８、９に示すようにベルトレスズボンなどにおけるウエストベルト５の端部に固定具４によって、操作片３を装備したスライダー２を内側に取り付け、またウエストベルト５上に細幅の共生地６の両端を取り付け、共生地６の裏面に調節ベルト１を装着し、調節ベルト１にスライダー２を挿通し、操作片３を押圧してスライダー２を摺動させ、ウエストベルト５におけるウエスト回りの調整を行う。そして調節ベルト１、スライダー２、操作片３、固定具４は、それぞれポリアミド、ポリアセタール、ポリプロピレン、ポリプチレンテレフタレートなどの熱可塑性樹脂を用いて射出成形加工手段、または押出成形加工手段によって成形する。
【００２２】
なお、調節ベルト１を分厚く形成すれば必ずしも調節ベルト１に共生地６を取り付ける必要はなく、調節ベルト１をウエストベルト５へ単独で取り付けてもよい。さらに、上記調節ベルト１をウエストベルト５の生地と同様な色調のものとすれば、調節ベルト１が外観として目立たなくなり好適である。
【００２３】
ウエスト調節具のうち調節ベルト１は、図１、６、７に示すように、長尺状のベルト帯であって、表面に所定の間隔で調節突部８が二段に突出した形態で列設し、この調節突部８の形状は長方形あるいは縦長の六角形または両側が平行する適宜の形状に形成し、調節ベルト１の裏面は平坦で全体が弾性を備えたベルト帯であり、ズボン、スカートなどのウエストベルト５の共生地６に取り付けるのに適した形態に形成されている。なお、調節ベルト１の表面に所定の間隔で調節突部８が一段に突出する形態であってもよい。これによって調節ベルト１、スライダー２、操作片３の各々を小型化することが可能となる。
【００２４】
ウエスト調節具のスライダー２は、図１〜３に示すように全体が方形体で左右両側壁は開口して調節ベルト１が挿通できるように空洞状の挿通部１０を貫通状に設け、この挿通部１０と直交する形で上下部分に操作片３が挿入できる貫通孔１１をそれぞれ設け、貫通孔１１は図３に示すようにスライダー２の裏面板１３側に偏った位置に設けるとともに、表面板１２側に調節ベルト１を挿通する。上部貫通孔１１の入口は前面が一段と落ち込み両側面はテーパーがついている。また奥の壁面には切欠部１４を設け、後述する操作片３の係合突起２５が壁面と衝突することなく操作片３の上部貫通孔１１への挿入が容易に行えるように形成し、下部貫通孔１１の両側には下方外側へ向けて傾斜する斜面部１５を設けて操作片３の弾性脚部２６が摺接し滑動できるように形成する。
【００２５】
スライダー２の裏面板１３には中央縦方向に長方形を呈する透孔１６を設け、この透孔１６内の範囲内において透孔１６と対面する表面板１２には、固定具４を取り付けるための内側が拡大する断面Ｔ形あるいはテーパー状の固定具４を取り付けるための取付孔１７を上下に２個設けている。したがって裏面板１３に設けた透孔１６は、表面板１２の裏側に設ける取付孔１７の成形のためのものであり、また取付孔１７に挿入した固定具４の取付柱３３を圧潰する加圧作業の便宜を図るためのものである。
【００２６】
スライダー２に挿入する操作片３は、図１、４、５に示すようにスライダー２の貫通孔１１に挿入できる大きさであり、操作片３の本体２２の中央縦方向にスライダー２の透孔１６に合致する透孔２４を設け、操作片３の一面すなわちスライダー２の裏面板１３に対面する表面は平坦であり、表面板１２に対向する表面は頭部２３がやや本体２２よりも突出して分厚く形成し、本体２２の透孔２４の両側には、調節ベルト１に配設した調節突部８に対応し係合できる係止突部２５を上下２個所に設けている。
【００２７】
操作片３の両側には、弾性を備えた弾性脚部２６を一体に配設し、弾性脚部２６は本体２２と同厚で本体２２の中央部分から先端にかけて本体２２と略同長で並行状に設け、先端部分は内傾状のテーパーをつけスライダー２に配設した斜面部１５上を滑動できるように形成する。さらに操作片３の頭部２３の両側には操作片３を貫通孔１１に挿入したとき、上部貫通孔１１から上方へ抜脱するのを阻止するための三角状の小突起２７を設け、上部貫通孔１１の縁部に衝止できるように形成する。
【００２８】
スライダー２をウエストベルト５に取り付けるための固定具４は、図１に示すようにキャップ３２の裏面にスライダー２の表面板１２に設けた上下の取付孔１７に合致する間隔で、先端が尖鋭状を呈する取付柱３３を上下２個所に突設し、取付柱３３はウエストベルト５を刺通して取付孔１７に挿入した後、先端を加熱加圧して取付孔１７内へ圧潰し充填して固定する。なお、取付柱３３の先端を加熱することなく単に加圧して取付孔１７へ圧潰し充填して固定することも可能である。
【００２９】
ウエスト調節具の取り付けは、図７〜９に示すようにベルトレスズボン、スカートなどの外側のウエストベルト５の端部裏面にスライダー２を取り付けるが、その際前述のとおりウエストベルト５の表面から固定具４の取付柱３３を刺通し、スライダー２の表面板１２に設けた取付孔１７に挿入後、先端を加熱加圧して圧潰することによりスライダー２をウエストベルト５に取り付ける。取り付けたスライダー２に調節ベルト１、または共生地６の裏面に調節ベルト１を取り付けている場合は、調節ベルト１と共生地６とを挿通し、調節ベルト１または共生地６の両端を内側のウエストベルト５上に縫着することにより、調節ベルト１の中間部分に空隙ができ分離できるように形成する。
【００３０】
次にスライダー２の上部貫通孔１１から操作片３の本体２２と弾性脚部２６とを挿入し、頭部２３を強く押圧して両側に設けた小突起２７を上部貫通孔１１から挿入することにより、図６に示すように弾性脚部２６の先端を下部貫通孔１１の両側に設けた斜面部１５に当接させ、先端がやや拡開した状態、すなわち弾発性を備えた状態で保持し、操作片３を上方へ付勢して調節突部８と係止突部２５とを係合させる。
【００３１】
ウエストベルト５に取り付けたウエスト調節具の調節操作は、スライダー２に挿入した操作片３の頭部２３を押圧することにより、弾性脚部２６の先端は弾性脚部２６の弾力に抗して斜面部１５を滑動し、操作片３を押し下げ調節ベルト１の調節突部８と操作片３の係止突部２５との係合を解除し、操作片３を押圧したままスライダー２を左右に摺動させてウエスト回りの調節を行った後、操作片３の押圧を解放すると、弾性脚部２６の弾力により操作片３は小突起２７が上部貫通孔１１の縁部に当接するまで上方へ復帰させて、調節突部８と係止突部２５とを係合させ、ウエスト回りの調節を完了するものである。
【００３２】
図１０、１１に示す第２実施形態のウエスト調節具は、第１実施形態のウエスト調節具におけるスライダー２に設置した下部貫通孔１１の両側に設けた斜面部１５の形態に改良を加えたものであり、その形態はスライダー２の下部貫通孔１１の両側に配した斜面部１５における表面板１２側に位置する個所に小突片状の側壁１８を上方へ突設し、斜面部１５の断面形状が凹状を呈する凹溝１９に形成し、この凹溝１９内を操作片３に設けた弾性脚部２６の先端を摺接し滑動させることにより弾性脚部２６が斜面部１５から脱落するのを未然に防ぎ、また弾性脚部２６ががたつくことがなく、安定した状態で円滑に滑動できるように形成したものである。
【００３３】
図１２〜１７に示す第３実施形態のウエスト調節具は、第１実施形態のウエスト調節具におけるスライダー２および操作片３に改良を加えたものであり、スライダー２は、図１２、１３に示すように裏面板１３の中央縦方向に設けた長方形の透孔１６における内面すなわち裏側の両側縁部に全長にわたって断面凸状を呈する突条２０を突設する。また操作片３は図１４、１５に示すように、本体２２の中央縦方向に設けた長方形の透孔２４の両側に本体２２の下端まで延びる断面凹状を呈する長溝３０を設け、この長溝３０はスライダー２の裏面板１３に対面する表面に設け、スライダー２の突条２０と操作片３の長溝３０とを嵌合できるように形成する。
【００３４】
操作片３の本体２２の両側に配設した弾性を備えた弾性脚部２６は、スライダー２の裏面板１３に対面する表面が本体２２の表面と同一面になるように形成し、係止突部２５を設けた側の弾性脚部２６の表面は、本体２２の表面より一段と落ち込んだ形状に形成し、全体が薄形を呈するように形成する。
【００３５】
第３実施形態のウエスト調節具の使用態様は、図１６、１７に示すように、スライダー２の上部貫通孔１１から操作片３の本体２２および弾性脚部２６を、頭部２３を押圧しながら挿入し、スライダー２に設けた突条２０と操作片３に設けた長溝３０とを嵌合させ、本体２２の一部が下部貫通孔１１に挿入すると同時に、弾性脚部２６の先端を斜面部１５に摺接し滑動させながら、頭部２３に設けた小突起２７を、上部貫通孔１１を圧しながら通過させることにより、小突起２７を上部貫通孔１１の縁部に衝止できるようにセットする。その際弾性脚部２６は薄形であるため図１７に示すように調節ベルト１の調節突部８との間に空隙が生じ、弾性脚部２６は調節突部８と衝合しないようになるから、弾性脚部２６の作動を円滑に行うことができる。
【００３６】
【発明の効果】
この発明のウエスト調節具は、以上説明したとおりの構成であり、この構成によって下記の効果を奏する。
【００３７】
この発明のうち請求項１記載の発明は、調節ベルトの表面に調節突部を所定間隔で配し、スライダーは調節ベルトが挿通できる挿通部を貫設し、挿通部の一面に固定具取付用の取付孔を設け、挿通部と直交する形で上下部に操作片が挿入できる貫通孔を設け、下部貫通孔の両側に斜面部を設け、操作片は一面に調節突部と係合できる係止突部を突設するとともに、両側に弾性脚部を一体に設けて斜面部に摺接し滑動可能に形成し、操作片を上方へ付勢して調節突部と係止突部とを係合可能に形成したことによって、ウエスト調節具の部品点数を削減することができコストダウンが図れ、そしてスライダーと操作片とが協働して的確に弾発性を発揮させることができ、その結果操作片を円滑に出没可動させることができ、そのうえスライダーおよび操作片の製作が容易であり、しかも衣服に簡単に取り付けることができる効果がある。
【００３８】
請求項２記載の発明は、請求項１記載の発明の効果に加え、弾性脚部は操作片の本体の中央部分から本体と略同長で並行状に配し、係止突部は操作片の本体に突設し、操作片の頭部は常時スライダーから突出状態を維持し、かつ上部貫通孔の縁部に衝止する抜脱阻止用の小突起を突設したことによって、操作片に対して簡単な構造で的確に弾発性を付与することができ、その結果押圧操作が簡便に行え、スライダーに対し適切な出没可動ができる効果がある。
【００３９】
請求項３記載の発明は、請求項１記載の発明の効果に加え、スライダーに設けた下部貫通孔に操作片の本体の一部が挿入され、弾性脚部の先端が斜面部に当接しやや拡開された状態を保持できる形で、頭部の側面に抜脱阻止用の小突起を突設したことによって、操作片が効率よく簡単に始動できる形で弾力を発生させ、有効な出没可動操作ができる効果がある。
【００４０】
請求項４記載の発明は、請求項１記載の発明の効果に加え、スライダーの斜面部における表面板側に側壁を突設して全体に凹溝を形成し、操作片の弾性脚部の先端は凹溝に摺接し滑動できる形に形成したことによって、弾性脚部の先端が斜面部から脱落することなく安定した状態で作動させることができ、またがたつくことがないので円滑に滑動させることができる効果がある。
【００４１】
請求項５記載の発明は、請求項１記載の発明の効果に加え、スライダーは方形体で裏面板の中央縦方向に長方形の透孔を設け、透孔と対面する表面板に内側が拡大する取付孔を上下２個設け、固定具はキャップの裏面に取付孔へ挿入し圧潰できる取付柱を上下２個突設したことによって、スライダーの製作がきわめて簡易にでき、特に熱可塑性樹脂の成形加工に適した形態であり、またスライダーを強固にウエストベルトに取り付けることができる効果がある。
【００４２】
請求項６記載の発明は、請求項１記載の発明の効果に加え、スライダーの裏面板に設けた縦長の透孔における縦方向の縁部内面に突条を突設し、操作片は本体の中央縦方向に設けた透孔の両側に下端まで延びる長溝を設けてスライダーの突条と嵌合可能に形成したことによって、スライダーに対し操作片ががたつくことがなく安定した状態でガイドし、操作片を的確かつ円滑に摺動して出没可動させることができる効果がある。
【００４３】
請求項７記載の発明は、請求項１記載の発明の効果に加え、操作片の両側に設けた弾性脚部は、係止突部を設けた本体表面より一段と落ち込んだ薄形に形成したことによって、操作片に設けた弾性脚部を簡単な構造で調節ベルトの調節突部と衝合することがなく、効率よく的確に弾発性が発揮できる効果がある。
【００４４】
請求項８記載の発明は、請求項１乃至７のいずれか一項に記載の発明の効果に加え、調節ベルト、スライダー、操作片、固定具をそれぞれ熱可塑性樹脂を用いて射出成形または押出成形によって成形したことによって、ウエスト調節具の製作がきわめて簡易にでき、しかもリサイクル化が実現できる効果があるなど、この発明が奏する効果はきわめて顕著である。
【図面の簡単な説明】
【図１】第１実施形態のウエスト調節具の分解斜視図である。
【図２】同上ウエスト調節具のスライダーの正面図である。
【図３】同上ウエスト調節具のスライダーの図２におけるＡ−Ａ線断面図である。
【図４】同上ウエスト調節具の操作片の正面図である。
【図５】同上ウエスト調節具の操作片の図４におけるＢ−Ｂ線拡大断面図である。
【図６】同上ウエスト調節具の図７におけるＣ−Ｃ線断面図である。
【図７】同上ウエスト調節具の図６におけるＤ−Ｄ線断面図である。
【図８】同上ウエスト調節具の使用状態を示す横断面図である。
【図９】ウエスト調節具の使用状態を示す正面図である。
【図１０】第２実施形態のウエスト調節具の要部の断面図である。
【図１１】同上ウエスト調節具のスライダーの一部を破断した斜視図である。
【図１２】第３実施形態のウエスト調節具のスライダーの正面図である。
【図１３】同上ウエスト調節具のスライダーの図１２におけるＥ−Ｅ線断面図である。
【図１４】同上ウエスト調節具の操作片の正面図である。
【図１５】同上ウエスト調節具の操作片の図１４におけるＦ−Ｆ線拡大断面図である。
【図１６】同上ウエスト調節具の図１７におけるＧ−Ｇ線断面図である。
【図１７】同上ウエスト調節具の図１６におけるＨ−Ｈ線断面図である。
【図１８】公知のウエスト調節具の分解斜視図である。ただし固定具は省略。
【符号の説明】
１            調節ベルト
２            スライダー
３            操作片
４            固定具
５            ウエストベルト
８            調節突部
１０            挿通部
１１            貫通孔
１２            表面板
１３            裏面板
１５            斜面部
１６            透孔（スライダー）
１７            取付孔
１８            側壁
１９            凹溝
２０            突条
２２            本体
２３            頭部
２４            透孔（操作片）
２５            係止突部
２６            弾性脚部
２７            小突起
３０            長溝
３２            キャップ
３３            取付柱
【図１】
0003909481.tif 000002
【図２】
0003909481.tif 000003
【図３】
0003909481.tif 000004
【図４】
0003909481.tif 000005
【図５】
0003909481.tif 000006
【図６】
0003909481.tif 000007
【図７】
0003909481.tif 000008
【図８】
0003909481.tif 000009
【図９】
0003909481.tif 000010
【図１０】
0003909481.tif 000011
【図１１】
0003909481.tif 000012
【図１２】
0003909481.tif 000013
【図１３】
0003909481.tif 000014
【図１４】
0003909481.tif 000015
【図１５】
0003909481.tif 000016
【図１６】
0003909481.tif 000017
【図１７】
0003909481.tif 000018
【図１８】
0003909481.tif 000019